(57)【要約】【課題】  従来視覚障害者が困難であった視覚でしか確認することの出来ない日常生活に必要な事柄、例えば外出の身支度を鏡を見て整える事とか、冷蔵庫内の食材の有無確認、外出先でのバスや電車の時刻表確認とか、道路横断時の安全確認等を一人で行うことは非常に困難であった。【解決手段】    視覚障害者側のカメラの映像をテレビ電話機能を利用して遠隔地の晴眼者が映像の内容を会話によって説明するシステムを、システム管理センターの管理のもとに有料サービスの事業として提供する。【選択図】  図１
2006003855.tif 000002
【特許請求の範囲】
【請求項１】
テレビ電話機能を利用したシステムであって、電話回線網を介して遠隔地のカメラ映像と音声とを送・受信し、視覚障害者側のカメラが撮影した映像を視覚障害者に代わって遠隔地の晴眼者が視認して、音声でカメラ映像の状況を視覚障害者側に説明する遠隔カメラ映像解説システム。
【請求項２】
インターネットによるテレビ電話機能を利用した遠隔カメラ映像解説システムであって、利用料金を支払ってシステムの会員となった視覚障害者にＩＤ番号を付与し、視覚障害者がシステムの利用に際して、ＩＤ番号をセンターに通知し、会員であることを確認の後、センターからインターネット回線を介して管理制御信号を発することにより、視覚障害者側のパソコンとサポートする晴眼者側のパソコンとのテレビ電話の接続をセンターが管理することを特徴とした特許請求の範囲第１項記載の遠隔カメラ映像解説システム。
【請求項３】
テレビ電話を利用した遠隔カメラ映像解説システムであって、前記視覚障害者側のカメラがカメラ付き携帯電話を使用し、視覚障害者が移動中にカメラ付き携帯電話を使用して遠隔地の晴眼者からサポートを受けることを特徴とした特許請求の範囲第１項及び第２項記載の遠隔カメラ映像解説システム。
【発明の詳細な説明】
【技術分野】
【０００１】本発明は、インターネットを利用したカメラ映像遠隔解説システムであって、特に視覚障害者側に設置したカメラの映像を、晴眼者が遠隔地から観察してカメラ映像の内容を視覚障害者に説明するサービスをネット上で管理するシステムに関するものである。
【背景技術】
【０００２】従来、視覚障害者が日常動作を行うに際して、目が見えないがために種々の困難があった。例えば、外出の身支度を整える際に、衣類の選択とか、ネクタイの色の選択、ワイシャツの汚れのチェック等と、身だしなみを整えるのは一人では困難であった。冷蔵庫の食品の賞味期限の確認とか、送られてきた品物の送り主は誰かとかの確認等も困難であり、誰か請願者の手助けが必要であった。また、これらの手助けをお願いするには、適当な家族がそばに居ない場合に他人にお願いすることは非常に制約され、気がねが必要であった。
【発明の開示】
【発明が解決しようとする課題】
【０００３】本発明は前記のような欠点を除くために成されたもので、視覚障害者が適切なサービス料金を支払うだけで、気軽に、気兼ね無しに視覚障害者に対するカメラ映像遠隔解説システム（以後、目代わりシステムと呼ぶ）によるサービスを受けられることを可能にし、前記のような欠点を解消しようとするものである。視覚障害者が日常生活において、対象物を見て認識する必要のある種々の場面において、晴眼者が遠隔地から代わりに見て説明してあげる仕組みをインターネットを利用して構築し、視覚障害者の人が気兼ね無く利用可能にしたものである。
【課題を解決するための手段】
【０００４】その為に本発明における目代わりシステムにおいては、パソコンを利用し、インターネットを介して遠隔地のカメラ映像と音声とを送・受信し、視覚障害者に代わって視覚障害者側のカメラ映像を遠隔地の晴眼者が視認して、音声で映像の状況を視覚障害者側に説明するカメラ映像遠隔解説サービスをネット上の管理センターによるシステム管理の基に提供するものである。システム管理センターのパソコンに組み込んだシステム管理専用ソフトによって目代わりシステム全体が管理運営される。視覚障害者がこのサービスを受ける際には、視覚障害者側のパソコンにカメラ及びカメラ映像送信ソフトを組み込み、インターネットを介してカメラ映像を送信できる状態にセットした後、目代わりセンターに電話してＩＤ番号を告げると、センターがＩＤ番号によって申し込み者が会員であることを確認し、あらかじめ契約した晴眼者であるサポーターのパソコンを呼び出し、申し込みのあった視覚障害者のパソコンとをインターネット回線を介して接続させる。呼び出されたサポーター側はカメラ映像受信ソフトが組み込まれたパソコンに前記の視覚障害者側に設置されたカメラの映像が送信されてきて、パソコンに表示される。しかる後、サポーターは視覚障害者側から送信されてくる種々の映像を観察すると共に、視覚障害者との電話による会話によって、視覚障害者側のカメラが撮影する映像の内容を視覚障害者に説明するものである。
【発明の効果】
【０００５】従来、視覚障害者が困難であった視覚でしか確認することの出来ない日常生活に必要な事柄、例えば外出の身支度を鏡を見て整える事とか、冷蔵庫内の食材の有無確認、外出先でのバスや電車の時刻表確認とか、道路横断時の安全確認等を一人で行うこと等が一人で可能となる。
【発明を実施するための最良の形態】
【０００６】次に本発明の実施の形態を図面を参照して詳細に説明する。図１は本発明の１実施例の形態を示した目代わりシステム構成図。図１において、１００は視覚障害者、１０１はパソコンでカメラ用ソフトが組み込まれ、カメラ１０２で撮影した映像をターミナルアダプター１０３を経てインターネット回線１０４を介して送信する。１０５はシステム制御信号で、システム管理センターから視覚障害者宅にシステム制御信号１０５が送・受信されてパソコン１０１のカメラ用ソフトを管理する。１０６は電話機で、送・受話器１０７を使用してサポーターと会話音声信号１０８を送・受信する。１０９はシステム管理センターに配置されたシステム管理用パソコンで、システム管理ソフトが組み込まれ、ターミナルアダプター１１０を経てインターネット回線１０４を介してシステム制御信号１０５を視覚障害者宅及びサポートする晴眼者宅と送・受信することによって、目代わりシステム全体を管理する。１１１はシステム管理用パソコンを操作するオペレータであるが、目代わりシステムの管理はシステム管理用パソコン１０９によってほぼ自動的に管理される。１１２は視覚障害者をサポートする晴眼者で、晴眼者宅に置かれたパソコン１１３にカメラ用ソフトが組み込まれ、視覚障害者宅のカメラ１０２が撮影したカメラ映像１１４を映し出す。インターネット回線１０４に接続したターミナルアダプター１１５を経てシステム制御信号１０５がパソコン１１３に入力され、晴眼者宅のパソコン１１３に視覚障害者宅のカメラ１０２の映像がテレビ電話機能によって映し出される。さらに、晴眼者宅の電話機１１６及び送・受話器１１７と視覚障害者宅の電話機１０６及び送・受話器１０７とによって会話音声信号１１８を送・受信して会話を行う。
次いで、図２はカメラ付き携帯電話を本システムに用いた移動型の遠隔カメラ映像開設システムである。図中２００は外出して移動中の視覚障害者、２０１は視覚障害者が所持するカメラ付き携帯電話で、テレビ電話機能を具備し、カメラ付き携帯電話２０１で撮影したカメラ映像信号２０２をアンテナ２０３及び中継局２０４を経て携帯電話回線網２０５を介して送信する。２０６はシステム制御信号で、システム管理センターからカメラ付き携帯電話２０１にシステム制御信号２０６が送・受信されてカメラ付き携帯電話２０１を管理する。２０７はシステム管理センターに配置されたシステム管理用パソコンで、システム管理ソフトが組み込まれ、ターミナルアダプター２０８を経て携帯電話回線網２０５を介してシステム制御信号２０６を視覚障害者宅及びサポートする晴眼者宅と送・受信することによって、目代わりシステム全体を管理する。２０９はシステム管理用パソコンを操作するオペレータであるが、目代わりシステムの管理はシステム管理用パソコン２０７によってほぼ自動的に管理される。２１０は視覚障害者をサポートする晴眼者で、晴眼者宅に置かれたパソコン２１１にテレビ電話用ソフトが組み込まれ、視覚障害者のカメラ付き携帯電話２０１との間でテレビ電話機能が設定される。その機能を利用し、携帯電話回線網２０５に接続したターミナルアダプター２１３を経てシステム制御信号２０６がパソコン２１１に入力され、晴眼者宅のパソコン２１１に視覚傷害者が操作するカメラ付き携帯電話２０１の映像がテレビ電話機能によって映し出される。さらに、晴眼者宅の電話機２１４及び送・受話器２１５と視覚障害者のカメラ付き携帯電話２０１とによって会話音声信号２１６を送・受信して会話を行う。
以上、図１及び図２に示したシステム構成のもとに、視覚障害者が目代わりサービスを受けるに際しては、予めシステムの利用料金をシステム管理者側に支払ってメンバーとなり、専用の識別番号を付与される。しかる後に、実際に目代わりサービスを受けるには、電話によってシステムセンターを呼び出し、ＩＤ番号をセンターのオペレータに音声で告げる方法やセンターのシステム管理用パソコンに直接、電話機のボタン操作でＩＤ番号を入力する等の手段によってセンターのシステム管理用パソコンにＩＤ番号を入力する。システム管理用パソコンは入力されたＩＤ番号によってあらかじめ入力されたユーザー情報と比較して適合していることを確認の後に、あらかじめ契約した対応可能な晴眼者であるサポーター宅の電話を呼び出した後にサポーター宅のパソコンと視覚障害者宅のパソコンにシステム管理情報を送信して双方のパソコンをテレビ電話として機能するごとく起動させることにより、視覚障害者宅におけるテレビ電話のカメラが撮影した映像がサポート宅のパソコンの画面に映し出されるように設定される。さらに、視覚障害者側とサポート側とが相互に会話ができるように相互の電話機が通話状態に設定される。このように設定された本システムにおいて、視覚障害者が自分の見ようとする対象物をカメラで撮影すると、テレビ電話機能によって、サポート側のパソコンの画面にその映像が映し出される。晴眼者であるサポーターはその画面を見て、映し出された映像の状況を電話機を介して音声によって説明し、会話を進めながら、サポーターが視覚障害者に遠隔でカメラの映像の内容を解説するものである。
【産業上の利用可能性】
【０００７】本発明の目代わりシステムによれば、視覚障害者にとって従来困難であった身の回りの視覚による確認作業が可能になり、大きな利便性をもたらす。
【図面の簡単な説明】
【０００８】
【図１】は本発明の目代わりシステム構成図
【図２】は携帯電話を利用した目代わりシステム構成図
【符号の説明】
【０００９】１００は視覚障害者、１０１はパソコン、１０２はカメラ、１０３はターミナルアダプター、１０４は電話網、１０５はシステム制御信号、１０６は電話機、１０７は送・受信器、１０８は会話音声信号、１０９はシステム管理用パソコン、１１０はターミナルアダプター、１１１はオペレータ、１１２は晴眼者、１１３はパソコン、１１４はカメラ映像、１１６は電話機、１１７は送・受信器、１１８は会話音声信号、２００は視覚障害者、２０１カメラ付き携帯電話、２０２はカメラ映像信号、２０３アンテナ、２０４中継局、２０５携帯電話回線網、２０６システム制御信号、２０７システム管理用パソコン、２０８ターミナルアダプー、２０９オペレータ、２１０晴眼者、２１１パソコン、２１２携帯カメラ映像、２１３はターミナルアダプター、２１４は電話器、２１５は送・受信器、２１６は会話音声信号である。
【図１】
2006003855.tif 000003
【図２】
2006003855.tif 000004